(57)【要約】【課題】組み立てたブロック構造の強度を向上する。【解決手段】  組立式ブロック構造１０は、複数本の棒状部材４０から構成する横フレーム１４と、前記横フレーム１４を所定の高さで支持するために複数の支持ブロック２０を上下に連結して形成した支持フレーム１３を備える。支持ブロック２０は、棒状部材４０の端部４１を挿入した状態で前記端部４１に係合して棒状部材４０を支持する係合部を備えた支持用切欠き部２３と、棒状部材４０の端部４１を挿入可能である受入用切欠き部２６と、を備える。複数の支持用切欠き部２３を支持ブロック２０の横方向の上部に所定間隔で配置する。各棒状部材４０の端部４１の側面に上下方向にホゾ部４２を設け、支持用切欠き部２３に設けたアリ溝２４に、前記ホゾ部４２を挿入可能に形成する。【選択図】  図３
2015126844.tif 000002
【特許請求の範囲】
【請求項１】
複数本の棒状部材から構成する横フレームと、前記横フレームを所定の高さで支持するために複数の支持ブロックを上下に連結して形成した支持フレームを備え、
前記支持ブロックが、前記棒状部材の端部を挿入した状態で前記端部に係合して前記棒状部材を支持する係合部を備えた支持用切欠き部と、前記棒状部材の端部を挿入可能である受入用切欠き部と、を備えると共に、複数の前記支持用切欠き部を支持ブロックの横方向の上部に所定間隔で配置し、複数の前記受入用切欠き部を支持ブロックの横方向の下部に、前記各支持用切欠き部に対応して所定間隔で配置した組立式ブロック構造であって、
前記各棒状部材の端部に形成した被係合部が、前記支持用切欠き部に設けた係合部に係合する構成であり、
前記被係合部が、前記棒状部材の端部に設けたホゾ部からなり、前記係合部が、前記支持用切欠き部に前記ホゾ部を挿入可能に形成したアリ溝であることを特徴とする組立式ブロック構造。
【請求項２】
前記支持ブロックは、上部に上方に延長したボス部を備えると共に、下部にボス用穴部を備えており、
前記ボス部が、上側に配置された支持ブロックの下部に備えたボス用穴部に挿入可能であり、前記ボス用穴部が、下側に配置された支持ブロックの上部に上方に延長したボス部を挿入可能な構造であり、
前記ボス部の周面に爪部を設け、前記ボス用穴部に、前記爪部と係合する爪受部を備えたロック用孔部を設けたことを特徴とする請求項１に記載の組立式ブロック構造。
【請求項３】
前記爪部は、前記ボス部を前記ボス用穴部に挿入する方向の反対に向けて徐々に突出するように傾斜する傾斜部を形成したことを特徴とする請求項２に記載の組立式ブロック構造。
【請求項４】
前記支持ブロックは、長手方向に対して直交する側面に、複数の筋かい固定用穴を横方向に並列配置したことを特徴とする請求項１〜３に記載の組立式ブロック構造。
【請求項５】
前記支持ブロックにおける前記ボス用穴部に挿入可能な取付用ボス部を有するキャスタを備え、前記取付用ボス部の周面に、前記ボス用穴部の爪受部に係合する爪部を設けたことを特徴とする請求項２〜４に記載の組立式ブロック構造。
【請求項６】
請求項１〜５のいずれか１に記載の組立式ブロック構造における複数の支持ブロックを上下に連結する際に、前記支持ブロックのボス部を、上側に配置した支持ブロックのボス用穴部に挿入し、前記ボス部の周面に設けた爪部が前記ボス用穴部のロック用孔部の爪受部に係合したロック状態において、前記ロック状態をアンロックするためのロック解除具であって、
前記ロック用孔部に挿入して前記爪部の外面に備えた傾斜部に突き当てる突当て部を有し、前記突当て部の先端に、前記爪部の傾斜部と逆方向に傾斜する突当て用傾斜部が設けられていることを特徴とするロック解除具。
【請求項７】
湾曲形成した保持部本体を備え、二つの前記突当て部を互いに対向するように前記保持部本体に配置したことを特徴とする請求項６に記載のロック解除具。
【発明の詳細な説明】
【技術分野】
【０００１】
本発明は、組立式ブロック構造およびロック解除具に関する。
【背景技術】
【０００２】
特許文献１には、本発明者が開発した組立式棚が開示されている。前記組立式棚は、複数の支持ブロックを組み合わせることで、ネジやナット等を用いることなく棚部を支持する支持フレームを形成できる。また、棚部を構成する複数の各棒状部材の各端部を、上側に配置された支持ブロックの受入用切欠き部に挿入した後、下側に配置された支持ブロックの支持用切欠き部に係合して容易に組立式棚を組み立てることができる。
【先行技術文献】
【特許文献】
【０００３】
【特許文献１】特許第５２３５７８９号公報
【発明の概要】
【発明が解決しようとする課題】
【０００４】
特許文献１の技術では、部材が棒状部材や支持ブロックなので分解状態で梱包すると、コンパクト化でき、持ち運びや収納に便利である。また組み立てが容易であると共に、使用目的に合わせて幅や高さなどの大きさを容易に変更することができる。しかし、さらにより一層、効果的に用いるための改善点があった。
例えば、棚部を形成する棒状部材の端部に形成された被係合部が、支持用切欠き部に設けた係合部に係合する構成であるが、棒状部材の端部の側面に上下方向に刻設された溝部であるので、強度的に弱くなってしまう。
【０００５】
さらに、複数の支持ブロックを上下に連結するとき、各支柱部の下部または上部に爪部が設けられており、前記各爪部が各支柱の上部または下部に設けた爪受け溝に係合する構造である。しかし、各爪部と各爪受け溝は、支持ブロックを上下に連結する時に引っ掛かるが、分解する時に外しやすくするには、引っ掛け代（係合代）を小さくする必要がある。そのため、各爪部と各爪受け溝の位置関係は微妙な調整を要する。また、使用頻度が多くなると、各爪部と各爪受け溝が摩耗するために連結度合いを強くすることが難しくなる。また、組み立てた支持ブロックを分解する際に、係合している各爪部と各爪受け溝を解除するのがそれほど簡単ではない。
【０００６】
本発明は上記に鑑みなされたものであり、組み立てたブロック構造の強度を向上し、組み立てたブロック構造を分解することが容易である組立式ブロック構造およびロック解除具を提供することを課題とする。
【課題を解決するための手段】
【０００７】
上記課題を解決するため、本発明は、複数本の棒状部材から構成する横フレームと、前記横フレームを所定の高さで支持するために複数の支持ブロックを上下に連結して形成した支持フレームを備え、前記支持ブロックが、前記棒状部材の端部を挿入した状態で前記端部に係合して前記棒状部材を支持する係合部を備えた支持用切欠き部と、前記棒状部材の端部を挿入可能である受入用切欠き部と、を備えると共に、複数の前記支持用切欠き部を支持ブロックの横方向の上部に所定間隔で配置し、複数の前記受入用切欠き部を支持ブロックの横方向の下部に、前記各支持用切欠き部に対応して所定間隔で配置した組立式ブロック構造であって、前記各棒状部材の端部に形成した被係合部が、前記支持用切欠き部に設けた係合部に係合する構成であり、前記被係合部が、前記棒状部材の端部に設けたホゾ部からなり、前記係合部が、前記支持用切欠き部に前記ホゾ部を挿入可能に形成したアリ溝であることを特徴とする組立式ブロック構造を提供する。
【０００８】
前記支持ブロックは、上部に上方に延長したボス部を備えると共に、下部にボス用穴部を備えており、前記ボス部が、上側に配置された支持ブロックの下部に備えたボス用穴部に挿入可能であり、前記ボス用穴部が、下側に配置された支持ブロックの上部に上方に延長したボス部を挿入可能な構造であり、前記ボス部の周面に爪部を設け、前記ボス用穴部に、前記爪部と係合する爪受部を備えたロック用孔部を設けた構成とすることが好ましい。
【０００９】
前記爪部は、前記ボス部を前記ボス用穴部に挿入する方向の反対に向けて徐々に突出するように傾斜する傾斜部を形成した構成とすることが好ましい。
【００１０】
前記支持ブロックは、長手方向に対して直交する側面に、複数の筋かい固定用穴を横方向に並列配置した構成とすることが好ましい。
【００１１】
前記支持ブロックにおける前記ボス用穴部に挿入可能な取付用ボス部を有するキャスタを備え、前記取付用ボス部の周面に、前記ボス用穴部の爪受部に係合する爪部を設けた構成とすることが好ましい。
【００１２】
また、本発明は、前記いずれかの組立式ブロック構造における複数の支持ブロックを上下に連結する際に、前記支持ブロックのボス部を、上側に配置した支持ブロックのボス用穴部に挿入し、前記ボス部の周面に設けた爪部が前記ボス用穴部のロック用孔部の爪受部に係合したロック状態において、前記ロック状態をアンロックするためのロック解除具であって、前記ロック用孔部に挿入して前記爪部の外面に備えた傾斜部に突き当てる突当て部を有し、前記突当て部の先端に、前記爪部の傾斜部と逆方向に傾斜する突当て用傾斜部が設けられていることを特徴とするロック解除具を提供する。
【００１３】
ロック解除具は、湾曲形成した保持部本体を備え、二つの前記突当て部を互いに対向するように前記保持部本体に配置した構成とすることが好ましい。
【発明の効果】
【００１４】
本発明の組立式ブロック構造によれば、複数の支持ブロックを組み合わせることで、ネジやナット等を用いることなく、所定高さの支持フレームを形成することができる。このとき、支持ブロックの上部に備えたボス部を、上側に配置される支持ブロックのボス用穴部に挿入する。ボス部の爪部が対応するボス用穴部のロック用孔部へ挿入して爪受部に係合して簡単にロックすることができる。
また、横フレームは棒状部材からなり、各棒状部材の各端部のホゾ部を、各支持フレームを構成する上側に配置された支持ブロックの受入用切欠き部に挿入した後、下側に配置された支持ブロックの支持用切欠き部に移動させてアリ溝に係合させれば容易に横フレームを形成することができる。しかも、アリ溝及びホゾ部は、単なる係合片や溝部に比べて、支持用切欠き部の係合部及び棒状部材の端部において強度的に強くなり、横フレームの強度を向上することができる。
【００１５】
また、爪部の外面に傾斜部を形成したので、ボス部をボス用穴部に挿入する際に爪部が自動的にボス用穴部に挿入され、ロック用孔部の爪受部に係合して簡単にロックすることができる。
【００１６】
また、２本の筋かいを長手方向の中央で交差させて固定し、２本の筋かいの両端を組立式ブロック構造の背面に取り付けるとき、組立式ブロック構造における支持ブロックの長手方向に対して直交する側面に横方向に配置した、複数の筋かい固定用穴のうちのいずれかに合わせて留め具を挿入して固定する。２本の筋かいは自由度をもって筋かい固定用穴に適宜合わせることができ、作業効率化を図ることができる。
【００１７】
また、組立式ブロック構造における最下の支持ブロックのボス用穴部に、キャスタを挿入することで、簡単に移動式の組立式ブロック構造とすることができる。
【００１８】
また、本発明のロック解除具によれば、組立式ブロック構造における複数の支持ブロック同士を連結したロック状態、あるいはキャスタを支持ブロックに連結したロック状態を、容易にアンロックすることができる。
【図面の簡単な説明】
【００１９】
【図１】図１は、本発明の一の実施形態に係る組立式ブロック構造として移動式ラックの全体構成を示した斜視図である。
【図２】図２は、本発明の一の実施形態に係る組立式ブロック構造として組立式棚の全体構成を示した斜視図である。
【図３】図３は、図１及び図２の組立式ブロック構造で用いた支持ブロックと、組立てる状態を示す斜視図である。
【図４】（ａ）〜（ｄ）は、支持ブロック同士を連結、あるいは支持ブロックとキャスタとを連結する時のロック動作を示す動作説明図である。
【図５】（ａ）は、図１の移動式ラックで用いた支持ブロックの下側から見た図であり、キャスタのボス部を装着した断面図である。（ｂ）は、キャスタのボス部の断面図である。
【図６】図６は、図１及び図２の組立式ブロック構造で用いた棒状部材の斜視図である。
【図７】図７は、本発明の一の実施形態に係るロック解除具を示した斜視図である。
【図８】（ａ）〜（ｃ）は、ロック解除具を用いて、支持ブロック同士の連結あるいは支持ブロックとキャスタの連結をアンロックする動作を示す動作説明図である。
【図９】図９は、本発明の一の実施形態に係る組立式ブロック構造として組立式棚の背面から見た斜視図である。
【図１０】（ａ）は、支持ブロックにおける複数の筋かい固定用穴を示す拡大図である。（ｂ）は、筋かいの平面図である。（ｃ）は、留め具を示した斜視図である。
【図１１】図１１は、本発明の一の実施形態に係る組立式ブロック構造として組立式棚を示した背面図である。
【図１２】図１２は、上記実施形態で用いたボス部を備えた支持ブロックを示した図であり、（ａ）は斜視図、（ｂ）は平面図、（ｃ）は正面図、（ｄ）は左側面図、（ｅ）は底面図、（ｆ）は（ｃ）のＡ−Ａ断面図、（ｇ）は（ｃ）のＢ−Ｂ断面図、（ｈ）は右側面図、（ｉ）は（ｇ）のＥ部拡大図である。
【図１３】図１３は、上記実施形態で用いたボス部を備えていない最上部配置用の支持ブロックを示した図であり、（ａ）は斜視図、（ｂ）は平面図、（ｃ）は正面図、（ｄ）は左側面図、（ｅ）は底面図、（ｆ）は（ｃ）のＡ−Ａ断面図、（ｇ）は（ｃ）のＢ−Ｂ断面図、（ｈ）は右側面図である。
【図１４】図１４は、上記実施形態で用いたロック解除具を示した図であり、（ａ）は斜視図、（ｂ）は平面図、（ｃ）は正面図、（ｄ）は底面図、（ｅ）は（ｃ）のＡ−Ａ断面図、（ｆ）は右側面図、（ｇ）は背面図である。
【発明を実施するための形態】
【００２０】
以下、図面に示した実施形態に基づき本発明をさらに詳細に説明する。図１は、本実施形態の組立式ブロック構造１０である移動式ラック１１の全体構成を示した図である。図２は、本実施形態の組立式ブロック構造１０である組立式棚１２の全体構成を示した斜視図である。いずれの組立式ブロック構造１０も、支持フレーム１３と横フレーム１４とを備えて構成される。
【００２１】
支持フレーム１３は、複数の支持ブロック２０を組み合わせて構成される。図１及び図２に示した例では、支持ブロック２０を複数個上下方向に積み重ねて一つの支持フレーム１３を形成している。
【００２２】
支持ブロック２０は、図３に示したように、合成樹脂製の成型品からなり、支柱部２１、隔壁部２２、支持用切欠き部２３、受入用切欠き部２６を有している。支柱部２１は、支持ブロック２０の長手方向に沿って所定間隔毎に複数設けられている。各支柱部２１は、数ｃｍから十数ｃｍ程度の高さで、断面略方形に形成されている。もちろん、断面形状等は任意であり、略円形等であってもよく、例えば、本実施形態の支持ブロック２０の場合、長手方向に沿って設けられた６つの支柱部２１のうち、一端に位置する支柱部２１ａは、断面略方形状に形成され、他端に位置する支柱部２１ｂは、断面略半楕円状に形成されている。但し、各支柱部２１を構成する側面２１ｃはできるだけ下端縁に近いところまで位置するように形成することが強度の向上のためには好ましい。
【００２３】
隔壁部２２は、支持ブロック２０の高さ方向の略中央付近であって、長手方向に沿って隣接する支柱部２１，２１間に跨るように設けられている。その結果、隣接する支柱部２１，２１間において、隔壁部２２を挟んだ上下に２つの切欠き部（支持用切欠き部２３、受入用切欠き部２６）が形成される。
【００２４】
支持用切欠き部２３は、隔壁部２２の上部に形成された上面開口の切欠きであり、後述の棒状部材４０の端部４１が収まる大きさで形成されている。支持用切欠き部２３の内側面は、後述の棒状部材４０の端部４１に形成された被係合部に係合する係合部が形成されている。詳しくは後述するが、前記被係合部は、棒状部材４０の端部４１に設けたホゾ部４２である。前記係合部は、前記ホゾ部４２を挿入可能に形成したアリ溝２４である。
【００２５】
また、本実施形態では、各支柱部２１の厚み方向の中間部同士を連結する連結壁２５が設けられており、支持用切欠き部２３は、前記連結壁２５を挟んだ両側に形成されている。したがって、本実施形態では、各支持用切欠き部２３に棒状部材４０の端部４１が挿入される挿入長さは、支柱部２１の厚みから連結壁２５の厚みを差し引いたものの略半分に相当する長さとなる。
【００２６】
受入用切欠き部２６は、隔壁部２２の下部に形成された下面開口の切欠きであり、正面から見て、後述の棒状部材４０の端部４１を挿入可能な面積で形成されている。
【００２７】
支持フレーム１３は、複数個の支持ブロック２０を上下に連接して形成する。そのため、支持ブロック２０の各支柱部２１における上部及び下部は、上下に配置される他の支持ブロック２０の各支柱部２１の下部及び上部とそれぞれ嵌合可能に形成されている。つまり、支柱部２１の上部の外径を下部の内径よりも小さくしている。したがって、上下に支持ブロック２０を連接すると、下側に配置される支持ブロック２０の上部が、上側に配置される支持ブロック２０の下部の周壁内に嵌ることになる。
【００２８】
上側に配置される支持ブロック２０の倒れを抑制するために、支柱部２１のいずれか少なくとも一つに、本実施形態では、長手方向の一端に位置する支柱部２１ａに、上方に延長するように形成したボス部２７ａが、上側に配置された支持ブロック２０の支柱部２１ａの周壁内のボス用穴部３３ａに挿入される。さらに、長手方向の他端に位置する支柱部２１ｂに、上方に延長するように形成したボス部２７ｂが、上側に配置された支持ブロック２０の支柱部２１ｂの周壁内のボス用穴部３３ｂに挿入される。なお、支持フレーム１３の上端に配置される支持ブロック２０のうち、最も上部に配設されるもの（図１に示した符号２０Ａの支持ブロック）は、美観上、例えば、図１に示すように、ボス部２７ａ，２７ｂを形成しないものを用いることが好ましい。
【００２９】
ここで、ボス部２７ａ，２７ｂを備えた支持ブロック２０と、ボス部２７ａ，２７ｂを備えていない最上部に配設される支持ブロック２０Ａの外観構成の違いを明確にするため、図１２（ａ）〜（ｉ）に前者の支持ブロック２０の全体構成を、図１３（ａ）〜（ｈ）に後者の支持ブロック２０Ａの全体構成を参考として具体的に示している。
【００３０】
ボス部２７ａは中空の断面略四角形に形成され、周壁面には、爪部２８ａ，２８ｂを設けている。本実施形態では、爪部２８ａ，２８ｂが、ボス部２７ａの正面側と背面側にほぼ対向する位置に配置している。
【００３１】
図３及び図４に示すように周壁の一部に逆Ｕ字形の切欠きを形成し、逆Ｕ字形の切欠きの内側片が弾力性を有する爪部用バネ片２９ａ，２９ｂとなる。爪部用バネ片２９ａ，２９ｂは、下部がボス部２７ａの周壁と一体であり、上部が内側や外側へ撓むバネ性を有することになる。爪部用バネ片２９ａ，２９ｂの上端部の外側には前記爪部２８ａ，２８ｂを備える。したがって、前記爪部２８ａ，２８ｂを内側へ向けて押圧すると、爪部用バネ片２９ａ，２９ｂによって、爪部２８ａ，２８ｂを外側へ付勢する付勢力が発生することになる。
【００３２】
本実施形態では、爪部２８ａ，２８ｂは、ボス部２７ａの周壁面から外側へ突出しており、ボス部２７ａをボス用穴部３３ａに挿入する方向に対し、その反対である下方に向けて徐々に突出する方向に裾広がりに傾斜するように、該爪部２８ａ，２８ｂの外面に傾斜部３１ａ，３１ｂが形成されている。
【００３３】
一方、上側に配置された支持ブロック２０の支柱部２１ａの周壁内のボス用穴部３３ａは、前記爪部２８ａ，２８ｂと係合する爪受部３５ａ，３５ｂを備えたロック用孔部３４ａ，３４ｂを設けている。つまり、ロック用孔部３４ａ，３４ｂの下半円の部分が爪受部３５ａ，３５ｂとなる。本実施形態では、前記ロック用孔部３４ａ，３４ｂが、ボス用穴部３３ａの正面側と背面側にほぼ対向する位置に配置している。
【００３４】
したがって、上下に支持ブロック２０を連接するとき、下側の支持ブロック２０の支柱部２１ａ，２１ｂのボス部２７ａ，２７ｂが、上側の支持ブロック２０の支柱部２１ａ，２１ｂの対応するボス用穴部３３ａ，３３ｂに挿入される。支柱部２１ａ，２１ｂの構造は、ほぼ同様であるので、支柱部２１ａについて詳しく説明する。
【００３５】
下側の支持ブロック２０のボス部２７ａの爪部２８ａ，２８ｂは、図４（ａ）に示すように、上側の支持ブロック２０のボス用穴部３３ａの内周の位置より外側へ突出している。挿入すると、図４（ｂ），（ｃ）に示すように、ボス用穴部３３ａの端縁が、ボス部２７ａの爪部２８ａ，２８ｂの傾斜部３１ａ，３１ｂを爪部用バネ片２９ａ，２９ｂの付勢力に抗して内側へ押圧する。さらに挿入すると、図４（ｄ）に示すように、爪部用バネ片２９ａ，２９ｂの外側への付勢力によって、ボス部２７ａの爪部２８ａ，２８ｂが対応するボス用穴部３３ａのロック用孔部３４ａ，３４ｂへ挿入して爪受部３５ａ，３５ｂに係合する。
【００３６】
なお、ボス部２７ｂは、前述のボス部２７ａと同様の構造であるので、詳しい説明は省略する。つまり、爪部２８ａ，２８ｂを備えた爪部用バネ片２９ａ，２９ｂを有する。また、上側に配置された支持ブロック２０の支柱部２１ｂの周壁内のボス用穴部３３ｂは、前述のボス用穴部３３ａと同様の構造であるので、詳しい説明は省略する。つまり、爪受部３５ａ，３５ｂを備えたロック用孔部３４ａ，３４ｂを有する。
【００３７】
したがって、上下に支持ブロック２０を連接すると、ボス部２７ａの爪部２８ａ，２８ｂが対応するボス用穴部３３ａのロック用孔部３４ａ，３４ｂの爪受部３５ａ，３５ｂに係合する。また、ボス部２７ｂの爪部２８ａ，２８ｂも対応するボス用穴部３３ｂのロック用孔部３４ａ，３４ｂの爪受部３５ａ，３５ｂに係合する。その結果、上下の支持ブロック２０の連結度合いを一層、高めることができるので、支持ブロック２０の倒れ抑制機能が向上する。
【００３８】
図１及び図３に示した態様では、支持フレーム１３の最下部の支持ブロック２０の長手方向の一端に位置する支柱部２１ａの周壁内のボス用穴部３３ａと、他端に位置する支柱部２１ｂの周壁内のボス用穴部３３ｂにキャスタ５０を取り付けている。前記キャスタ５０は、図５（ａ），（ｂ）に示すように、ボス用穴部３３ａ，３３ｂのいずれに対しても挿入可能な取付用ボス部５１を備えている。
【００３９】
最下部の支持ブロック２０において、図５（ａ）に示すように、支柱部２１ａの断面略方形状のボス用穴部３３ａには、隣り合う支柱部２１の側に位置する周壁面に、上下方向に長い２つのガイドレール部３６，３６を突出している。さらに、前記ボス用穴部３３ａには、２つのガイドレール部３６，３６の周壁面と対向する周壁面に、２つのガイドレール部３７，３７を突出している。一方、支柱部２１ｂの断面略半楕円状のボス用穴部３３ｂには、隣り合う支柱部２１の側に位置する周壁面に、前記ボス用穴部３３ａと同様の上下方向に長い２つのガイドレール部３６，３６を突出している。
【００４０】
キャスタ５０の取付用ボス部５１は、支柱部２１ｂの断面略半楕円状のボス用穴部３３ｂに挿入可能な断面略半楕円状に形成し、該断面略半楕円状の平面部に、前述の２つのガイドレール部３６，３６をガイドするための２つのガイド溝部５２，５２を形成している。さらに、略半楕円状の周面には、前述の２つのガイドレール部３７，３７をガイドするための２つのガイド溝部５３，５３を形成している。
【００４１】
なお、キャスタ５０の取付用ボス部５１は中空の断面略四角形からなり、周壁面には、前述のボス部２７ａ，２７ｂと同様に、爪部２８ａ，２８ｂを備えた爪部用バネ片２９ａ，２９ｂを設けている。
【００４２】
本実施形態では、ボス部２７ａの爪部２８ａ，２８ｂと、ボス部２７ｂの爪部２８ａ，２８ｂと、取付用ボス部５１の爪部２８ａ，２８ｂとは、位置関係や大きさを同じ形状としている。また、支柱部２１ａの周壁内のボス用穴部３３ａの爪受部３５ａ，３５ｂと、支柱部２１ｂの周壁内のボス用穴部３３ｂの爪受部３５ａ，３５ｂとは、位置関係や大きさを同じ形状としている。したがって、キャスタ５０は、支柱部２１ａのボス用穴部３３ａと、支柱部２１ｂのボス用穴部３３ｂのいずれにも簡単に装着可能となる。その装着の仕方は、図４（ａ）〜（ｄ）に示した支柱部２１ａと同様である。
【００４３】
横フレーム１４は、複数本の棒状部材４０によって形成される。棒状部材４０は、図６に示したように、各端部４１，４１の側面に上下方向に設けたホゾ部４２，４２を形成している。このホゾ部４２は、前述の支持用切欠き部２３に設けた係合部であるアリ溝２４に係合する被係合部として機能する。アリ溝２４及びホゾ部４２は、単なる係合片や溝部に比べて、支持用切欠き部２３の係合部及び棒状部材４０の端部４１において強度的に強くなり、横フレームの強度を向上することができる。
【００４４】
また、各棒状部材４０の端部４１は、受入用切欠き部２６のそれぞれを正面から見た場合の面積よりも小さな断面積で形成されている。ただし、支持用切欠き部２３に係合する端部４１の断面積がこのような条件を備えていればよく、端部４１以外の部分の断面積（ないしは外径）はそれより大きくても構わない。
【００４５】
各棒状部材４０は、杉や桧等の間伐材から形成すると、間伐材の有効利用が図られるため好ましいが、棒状部材４０の材料が間伐材に限定されるものではない。他の木材（製材の端材等も含む）、合成樹脂、金属製のパイプ材等を用いることもできる。しかし、軽量化、資源の有効利用、コストの観点を総合すると、上記のように間伐材を用いることが好ましい。
【００４６】
本実施形態においては、支持ブロック２０を上下に連接していく。この際、上記のように下側に位置する支持ブロック２０のボス部２７ａ，２７ｂを、上側に位置する支持ブロック２０の両端の支柱部２１ａ，２１ｂのボス用穴部３３ａ，３３ｂに挿入する。すると、図４（ａ）〜（ｄ）に示したように、支柱部２１ａにおいては、ボス部２７ａの爪部２８ａ，２８ｂが対応するボス用穴部３３ａのロック用孔部３４ａ，３４ｂへ挿入して爪受部３５ａ，３５ｂに係合して簡単にロックされる。支柱部２１ｂにおいても、支柱部２１ａと同様に簡単にロックされる。
【００４７】
以上のように、簡易な構造の支持ブロック２０を用いて、ネジやナット等を用いることなく、所定高さの支持フレーム１３が形成される。また、下側に配置される支持ブロック２０の支持用切欠き部２３と、上側に配置される支持ブロック２０の受入用切欠き部２６とが上下に連通し、図１及び図２に示したように一つの孔のようになる。
【００４８】
次いで、所定高さの支持フレーム１３を２つ対向配置し、２つの支持フレーム１３，１３間に棒状部材４０を支持させる。支持フレーム１３は、上下に積み上げられた支持ブロック２０，２０同士において、上記のように、支持用切欠き部２３と受入用切欠き部２６とが上下に連通している。そこで、まず、棒状部材４０の端部４１を、上側に配置される支持ブロック２０の受入用切欠き部２６に挿入する。この時、受入用切欠き部２６の正面から見た面積が、棒状部材４０の端部４１の断面積よりも大きいため、容易に挿入できる。そして、棒状部材４０の両端部４１，４１を、対向する受入用切欠き部２６，２６に挿入した後、そのまま押し下げ、各端部４１，４１のホゾ部４２，４２をそれぞれ支持用切欠き部２３，２３のアリ溝２４，２４に係合させる。これにより、ネジやナット等を用いなくても、棒状部材４０の端部４１は支持用切欠き部２３によって確実に支持される。棒状部材４０は、奥行き方向に好みの本数を配置すれば、所定幅の横フレーム１４が形成される。
【００４９】
以上のように、受入用切欠き部２６の正面から見た面積が、棒状部材４０の端部４１の断面積よりも大きいため、２つの支持フレーム１３，１３間に他の棒状部材４０が何本か既に配置された状態、すなわち、２つの支持フレーム１３，１３間の対向距離が確定している状態においても、棒状部材４０を任意の支持用切欠き部２３に挿入したり、あるいは、挿入済みのものを取り出したりすることが可能である。したがって、横フレーム１４を形成する棒状部材４０の配置、取り外しの自由度が極めて高く、使用者の好みの大きさ、形状の組立式ブロック構造１０が得られる。また、支持フレーム１３の高さも、支持ブロック２０の連結数により任意の高さにすることができる。
【００５０】
このため、例えば、図１に示したような低い高さの移動式ラック１１として使用したり、より高く設定して、図２に示したような本棚として使用したり、用途の自由度が極めて高い。その他、テレビ台、荷物棚、椅子、ベッドの架台部分等として使用することができる。また、部品の最小単位が支持ブロック２０または棒状部材４０であるため、これらを分解した際には極めてコンパクト化できるため、持ち運び、収納に便利である。
【００５１】
また、支持ブロック２０として、長手方向の長さが異なるものを複数種類、準備したり、あるいは、棒状部材４０として長さの異なるものを複数種類準備したりしておくことが好ましい。例えば、図２に示したように、棒状部材４０の長さの異なるものを用いることで、組立式ブロック構造１０の幅（支持フレーム１３，１３間の間隔）を場所によって異ならせることができ、組立式ブロック構造１０の用途をさらに広げることができる。また、設置する部屋の大きさ等に合わせて種々アレンジすることができる。
【００５２】
次に、本発明の実施形態に係るロック解除具について説明する。
ロック解除具６０は、図１及び図２の組立式ブロック構造１０における複数の支持ブロック２０，２０同士を連結したロック状態、あるいはキャスタ５０を支持ブロック２０に連結したロック状態を、アンロックするためのロック解除具６０である。
【００５３】
なお、前述の組立式ブロック構造１０は、前述の説明のように、複数の支持ブロック２０を上下に連結する際に、支持ブロック２０のボス部２７ａ，２７ｂを、上側に配置した支持ブロック２０のボス用穴部３３ａ，３３ｂに挿入する。前記ボス部２７ａ，２７ｂの周面に設けたそれぞれの爪部２８ａ，２８ｂがボス用穴部３３ａ，３３ｂのそれぞれのロック用孔部３４ａ，３４ｂの爪受部３５ａ，３５ｂに係合することによってロック状態となる。
【００５４】
ロック解除具６０は、本実施形態では、図７および図１４に示すように、支持ブロック２０の幅方向の両側面から挟めるように、平面でＵ字形状に湾曲した保持部６１と、前記保持部６１の両先端部に互いに対向するように配置した突当て部６２ａ，６２ｂと、前記各突当て部６２ａ，６２ｂの先端面に形成した突当て用傾斜部６３ａ，６３ｂと、を備えている。
【００５５】
前記突当て部６２ａ，６２ｂは、例えば、支持ブロック２０の支柱部２１ａのロック用孔部３４ａ，３４ｂに挿入して爪部２８ａ，２８ｂの外面に備えた傾斜部３１ａ，３１ｂに突き当てるものである。突当て用傾斜部６３ａ，６３ｂは、突き当てる爪部２８ａ，２８ｂの傾斜部３１ａ，３１ｂと逆方向に傾斜するように形成したものである。なお、「逆方向に傾斜」とは、爪部２８ａ，２８ｂの傾斜部３１ａ，３１ｂが上から下に向かって突出する裾広がりに傾斜するのに対し、突き当て用傾斜部６３ａ，６３ｂが、上部が最も内方に突出し、下方に向かって徐々に外方に向かう傾斜面になっているという意味である。したがって、図８（ａ）に示したように、爪部２８ａ，２８ｂの傾斜部３１ａ，３１ｂと突き当て用傾斜部６３ａ，６３ｂ同士は、突き当てた状態では面接触することになる。
【００５６】
ロック解除具６０は、図８（ａ）に示すように、例えば、ロック状態の支持ブロック２０の支柱部２１ａの幅方向の両側面から挟むようにして、突当て部６２ａ，６２ｂをロック用孔部３４ａ，３４ｂに挿入する。突当て部６２ａ，６２ｂの先端面の突当て用傾斜部６３ａ，６３ｂを、爪部２８ａ，２８ｂの外面の傾斜部３１ａ，３１ｂに突き当てる。
【００５７】
次に、突当て部６２ａ，６２ｂを押圧すると、図８（ｂ）に示すように、突当て部６２ａ，６２ｂが、ボス部２７ａの爪部２８ａ，２８ｂの傾斜部３１ａ，３１ｂを爪部用バネ片２９ａ，２９ｂの付勢力に抗して内側へ押圧する。すると、図８（ｃ）に示すように、突当て部６２ａ，６２ｂの突当て用傾斜部６３ａ，６３ｂが、爪部２８ａ，２８ｂの傾斜部３１ａ，３１ｂを滑って相対的に上方へ移動するので、突当て部６２ａ，６２ｂがロック用孔部３４ａ，３４ｂを相対的に上方へ移動させる。その結果、爪部２８ａ，２８ｂがロック用孔部３４ａ，３４ｂの爪受部３５ａ，３５ｂから外れて簡単にアンロックすることができる。
【００５８】
組立式ブロック構造１０は、例えば、図９に示すように、組立式棚１２の背面側に筋かい７０を設けることによって安定する。そこで、支持ブロック２０は、図３及び図１０（ａ）に示すように、長手方向に対して直交する側面に、複数の筋かい固定用穴３８を横方向に配置することが望ましい。上記の複数の筋かい固定用穴３８は、上下方向に適宜間隔を介して配置することができる。本実施形態では、３個の筋かい固定用穴３８，３８，３８を設けている。
【００５９】
筋かい７０は、図１０（ｂ）に示すように、棒状をなしており、長手方向の中央位置に交差点固定用孔部７１を配置し、両端部に前記交差点固定用孔部７１から同じ距離の位置に端部固定用孔部７２を形成している。なお、本実施形態では、筋交い７０を平板状に形成しているが、例えば、交差点固定用孔部７１と端部固定用孔部７２を形成した箇所を平板状に形成し、他の箇所を断面略円形等に形成することも可能であり、その断面形状は特に限定されない。また、端部固定用孔部７２と筋かい固定用穴３８には、図１０（ｃ）に示すような留め具７３を挿入可能である。
【００６０】
２本の筋かい７０，７０を交差点固定用孔部７１にて、例えば、ボルト及びナットなどの固定具７４で固定し、２本の筋かい７０，７０を交差させる。その２本の筋かい７０，７０を、例えば、図９及び図１１に示すように、組立式棚１２の背面側に取り付ける。その時、各筋かい７０，７０の端部の４つの端部固定用孔部７２，７２，７２，７２は、組立式棚１２における支持ブロック２０の背面に横方向に配置した３つの筋かい固定用穴３８，３８，３８のうちのいずれかに合わせて留め具７３を挿入して固定する。
【００６１】
以上のように、本実施形態では、筋かい固定用穴３８が複数並列的に設けられているため、２本の筋かい７０の各端部を、一対の支持フレーム１３、１３間の間隔（棒状部材４０の長さ）、支持フレーム１３の高さ、横フレーム１４の上下間隔等により、並列されている筋交い固定用穴３８のうちの適宜のものを使用でき、汎用性に優れ、組立作業の作業効率化を図ることができる。
【００６２】
本発明の組立式ブロック構造は、上記のように本棚、テレビ台、荷物棚、椅子、ベッドの架台部分等として使用できるが、縦、横、高さをそれぞれ数ｍから十数ｍとなるように支持ブロックを配置し、簡易の組立式の倉庫、小屋などを製作することも可能である。
【符号の説明】
【００６３】
１０  組立式ブロック構造
１３  支持フレーム
１４  横フレーム
２０  支持ブロック
２０Ａ  支持ブロック（最上部配置用）
２３  支持用切欠き部
２４  アリ溝
２６  受入用切欠き部
２７ａ，２７ｂ  ボス部
２８ａ，２８ｂ  爪部
２９ａ，２９ｂ  爪部用バネ片
３１ａ，３１ｂ  傾斜部
３３ａ，３３ｂ  ボス用穴部
３４ａ，３４ｂ  ロック用孔部
３５ａ，３５ｂ  爪受部
３８  筋かい固定用穴
４０  棒状部材
４１  端部
４２  ホゾ部
５０  キャスタ
５１  取付用ボス部
６０  ロック解除具
６１  保持部
６２ａ，６２ｂ  突当て部
６３ａ，６３ｂ  突当て用傾斜部
７０  筋かい
７１  交差点固定用孔部
７２  端部固定用孔部
７３  留め具
７４  固定具
【図１】
2015126844.tif 000003
【図２】
2015126844.tif 000004
【図３】
2015126844.tif 000005
【図４】
2015126844.tif 000006
【図５】
2015126844.tif 000007
【図６】
2015126844.tif 000008
【図７】
2015126844.tif 000009
【図８】
2015126844.tif 000010
【図９】
2015126844.tif 000011
【図１０】
2015126844.tif 000012
【図１１】
2015126844.tif 000013
【図１２】
2015126844.tif 000014
【図１３】
2015126844.tif 000015
【図１４】
2015126844.tif 000016